(57)【要約】【課題】デジタル放送において、放送の切れ目をなくし安定した放送サービスを実現する。【解決手段】デジタル放送における番組信号を送信する送信方法において、送信するコンテンツを所定の時間遅延させる遅延段階と、前記遅延段階にて遅延されたコンテンツと、遅延されないコンテンツとを夫々符号化する符号化段階と、前記遅延されたコンテンツと、前記遅延されないコンテンツとを用いて伝送する番組信号を生成する伝送処理段階と、前記コンテンツに関する番組情報を生成する番組情報生成段階とを有し、前記伝送処理段階は、前記所定の時間に基づく遅延時間情報を前記番組信号内に付加することにより、上記課題を解決する。【選択図】        図２
2004187098.tif 000002
【特許請求の範囲】
【請求項１】
デジタル放送における番組信号を送信する送信方法において、
送信するコンテンツを所定の時間遅延させる遅延段階と、
前記遅延段階にて遅延されたコンテンツと、遅延されないコンテンツとを夫々符号化する符号化段階と、
前記遅延されたコンテンツと、前記遅延されないコンテンツとを用いて伝送する番組信号を生成する伝送処理段階と、
前記コンテンツに関する番組情報を生成する番組情報生成段階とを有し、
前記伝送処理段階は、前記所定の時間に基づく遅延時間情報を前記番組信号内に付加することを特徴とする送信方法。
【請求項２】
前記伝送処理段階は、
前記遅延時間情報を、データカルーセル伝送方式におけるコンテンツを構成するファイルに付加することを特徴とする請求項１に記載の送信方法。
【請求項３】
前記伝送処理段階は、
前記遅延時間情報を、イベントメッセージに記述することを特徴とする請求項１に記載の送信方法。
【請求項４】
前記番組情報生成段階は、
前記遅延時間情報を、前記番組情報データ内に記述することを特徴とする請求項１乃至３の何れか１項に記載の送信方法。
【請求項５】
前記符号化段階は、
前記遅延されないコンテンツを、前記遅延されるコンテンツよりも情報量を少なくして符号化を行うことを特徴とする請求項１乃至４の何れか１項に記載の送信方法。
【請求項６】
受信状態が変動する環境で番組信号を受信する受信方法において、
受信した遅延されたコンテンツと、遅延されないコンテンツと、遅延時間情報とからなる番組信号から遅延時間情報を抽出する抽出段階と、
前記抽出段階にて抽出された遅延時間情報に基づいて、前記番組信号の遅延を行う遅延段階とを有することを特徴とする受信方法。
【請求項７】
デジタル放送における番組信号を送信する送信装置において、
送信するコンテンツを所定の時間遅延させる遅延部と、
前記遅延段階にて遅延されたコンテンツと、遅延されないコンテンツとを夫々符号化する符号化部と、
前記遅延されたコンテンツと、前記遅延されないコンテンツとを用いて伝送する番組信号を生成する伝送処理部と、
前記コンテンツに関する番組情報を生成する番組情報生成部とを有し、
前記伝送処理部は、前記所定の時間に基づく遅延時間情報を前記番組信号内に付加することを特徴とする送信装置。
【請求項８】
前記伝送処理部は、
前記遅延時間情報を、データカルーセル伝送方式におけるコンテンツを構成するファイルに付加することを特徴とする請求項７に記載の送信装置。
【請求項９】
前記伝送処理部は、
前記遅延時間情報を、イベントメッセージに記述することを特徴とする請求項７に記載の送信装置。
【請求項１０】
前記番組情報生成部は、
前記遅延時間情報を、番組情報データ内に記述することを特徴とする請求項７乃至９の何れか１項に記載の送信装置。
【請求項１１】
前記符号化部は、
前記遅延されないコンテンツを、前記遅延されるコンテンツよりも情報量を少なくして符号化を行うことを特徴とする請求項７乃至１０の何れか１項に記載の送信装置。
【請求項１２】
受信状態が変動する環境で番組信号を受信する受信装置において、
受信した遅延されたコンテンツと、遅延されないコンテンツと、遅延時間情報とからなる番組信号から遅延時間情報を抽出する抽出部と、
前記抽出部にて抽出された遅延時間情報に基づいて、前記番組信号の遅延を行う遅延部とを有することを特徴とする受信装置。
【発明の詳細な説明】
【０００１】
【発明の属する技術分野】
本発明は、デジタル放送における送信方法、受信方法、送信装置、及び受信装置に係り、特に、送信装置、受信装置間での伝送路状態が変動する場合において、「瞬断」と呼ばれる放送の切れ目をなくし安定した放送サービスを実現するためのデジタル放送における送信方法、受信方法、送信装置、及び受信装置に関する。
【０００２】
【従来の技術】
従来、デジタル放送システムでは、同時に複数の映像、音声等のコンテンツからなる番組を送信及び受信することでデジタル放送サービスを実現している。送信側（放送局）では、例えば、パケット多重方式の１つであるＭＰＥＧ２（Ｍｏｖｉｎｇ  Ｐｉｃｔｕｒｅ  Ｅｘｐｅｒｔｓ  Ｇｒｏｕｐ２）の多重方式を用いて番組及び番組情報の多重化を行い、その信号を受信側（受信装置）へ送信し、受信側では、受信した多重化信号を分離して視聴者が所望する番組の映像、音声等のコンテンツを提供する。なお、ＭＰＥＧ２の多重方式については、ＩＳＯ／ＩＥＣ１３８１８−１（ＭＰＥＧ２システム）にて規格化されている。
【０００３】
また、最近では移動可能な送信装置又は受信装置を用いた移動通信によるデジタル放送サービスも行われている。ここで、送信装置又は受信装置の移動により伝送路状態が変動する場合、特に、放送電波が建物等に遮られることにより受信装置の伝送路状態が悪化した場合は、番組であるコンテンツの映像や音声が途切れたり、停止してしまう所謂「瞬断」が発生することがある。
【０００４】
そこで、放送電波の瞬断に対応するため、デジタル放送における各チャネルの番組において同一のコンテンツの送信時間をずらして送る、所謂時間ダイバーシティ方式を用いた伝送方法が提案されている（例えば、特許文献１参照。）。この方法は、遅延手段を用いて伝送時間の異なる同一のコンテンツを多重化して伝送を行うものである。また、送信側が毎回同じ帯域を有する高品質信号データを送信するのではなく、伝送帯域幅を小さくした低品質信号データを先行して送信し、受信側において、伝送路状態が悪化し、高品質信号データが受信できない場合に、この低品質信号データを利用して視聴者に番組を提供することにより、瞬断することなく放送サービスを行うデジタル放送用送信・受信再生システムが提案されている。
【０００５】
上述した方法を用いることで、瞬断を防止し、更に品質の異なる信号を生成して伝送帯域を有効に利用することができると共に、効率的な伝送を実現している。
【０００６】
また、他の方法として、同一のコンテンツを繰り返し伝送するデータカルーセル伝送方式がある。データカルーセルとは、静止画や動画、音声や文字が夫々の符号化方式で符号化されたデータと、画面を受信装置で再構成するための手順書に相当するデータとを繰り返し伝送する伝送方法であり、データカルーセル伝送方式を用いることにより、伝送されたデータを受信装置で蓄積しておき、視聴者の好きな時間に視聴者の視聴要求に応じて、受信装置で蓄積された番組（コンテンツ）を放送することができるため、例えば、いつでも天気や、いつでもニュース等の放送サービスを提供することができる。なお、データカルーセル伝送方式は、「ＡＲＩＢ  ＳＴＤ−Ｂ２４  第２編、第３編」等で規定されている。
【０００７】
【特許文献１】
特開２０００−７８１１６号公報
【０００８】
【発明が解決しようとする課題】
しかしながら、従来の技術は、入力された信号を即座に出力するか、瞬断に対応するために、ある一定間隔にコンテンツを遅延させて、所定の繰り返し数の送信をしているため、伝送路状態の悪化が長時間に及ぶ場合には、映像信号や音声信号の出力が途中で停止してしまったり、又は途切れてしまう。
【０００９】
また、伝送路状態の悪化が長時間に及ぶ場合に対応するため、同一のコンテンツの繰り返し数を増加した場合には伝送効率が悪化してしまう。また、繰り返し間隔を延ばして伝送する場合には、瞬断時に対応するコンテンツがまだ受信できていない状態が生じてしまう。
【００１０】
本発明は、上記の点に鑑みなされたものであり、放送の切れ目をなくし、安定した放送サービスを実現するデジタル放送における送信方法、受信方法、送信装置、及び受信装置を提供することを目的とする。
【００１１】
【課題を解決するための手段】
上記課題を解決するために、本件発明は、以下の特徴を有する課題を解決するための手段を採用している。
【００１２】
請求項１に記載された発明は、デジタル放送における番組信号を送信する送信方法において、送信するコンテンツを所定の時間遅延させる遅延段階と、前記遅延段階にて遅延されたコンテンツと、遅延されないコンテンツとを夫々符号化する符号化段階と、前記遅延されたコンテンツと、前記遅延されないコンテンツとを用いて伝送する番組信号を生成する伝送処理段階と、前記コンテンツに関する番組情報を生成する番組情報生成段階とを有し、前記伝送処理段階は、前記所定の時間に基づく遅延時間情報を前記番組信号内に付加することを特徴とする。
【００１３】
請求項１記載の発明によれば、遅延時間情報を付加することで、受信側で遅延されたコンテンツを容易に取得することができる。また、伝送路状態が変動する場合においても、連続的に放送サービスを提供することが可能となり、視聴者に対する放送サービスを向上させる効果を得ることができる。
【００１４】
請求項２に記載された発明は、前記伝送処理段階は、前記遅延時間情報を、データカルーセル伝送方式におけるコンテンツを構成するファイルに付加することを特徴とする。
【００１５】
請求項２記載の発明によれば、遅延時間情報を従来の伝送方法を用いて容易に付与することができる。
【００１６】
請求項３に記載された発明は、前記伝送処理段階は、前記遅延時間情報を、イベントメッセージに記述することを特徴とする。
【００１７】
請求項３記載の発明によれば、遅延時間情報を従来の伝送方法を用いて容易に付与することができる。
【００１８】
請求項４に記載された発明は、前記番組情報生成段階は、前記遅延時間情報を、前記番組情報データ内に記述することを特徴とする。
【００１９】
請求項４記載の発明によれば、遅延時間情報を従来の伝送方法を用いて容易に付与することができる。
【００２０】
請求項５に記載された発明は、前記符号化段階は、前記遅延されないコンテンツを、前記遅延されるコンテンツよりも情報量を少なくして符号化を行うことを特徴とする。
【００２１】
請求項５記載の発明によれば、伝送路状態が悪化した場合に利用される遅延されないコンテンツの品質を低品質にすることで伝送量を少なくして伝送効率を向上させることができる。
【００２２】
請求項６に記載された発明は、受信状態が変動する環境で番組信号を受信する受信方法において、受信した遅延されたコンテンツと、遅延されないコンテンツと、遅延時間情報とからなる番組信号から遅延時間情報を抽出する抽出段階と、前記抽出段階にて抽出された遅延時間情報に基づいて、前記番組信号の遅延を行う遅延段階とを有することを特徴とする。
【００２３】
請求項６記載の発明によれば、遅延時間情報を用いて遅延されているコンテンツを容易に取得することができる。また、遅延時間情報を取得しておくことで、番組の結合を容易にして連続したコンテンツを提供することができるため、連続的に放送サービスを提供することが可能となり、視聴者に対する放送サービスを向上させる効果を得ることができる。
【００２４】
請求項７に記載された発明は、デジタル放送における番組信号を送信する送信装置において、送信するコンテンツを所定の時間遅延させる遅延部と、前記遅延段階にて遅延されたコンテンツと、遅延されないコンテンツとを夫々符号化する符号化部と、前記遅延されたコンテンツと、前記遅延されないコンテンツとを用いて伝送する番組信号を生成する伝送処理部と、前記コンテンツに関する番組情報を生成する番組情報生成部とを有し、前記伝送処理部は、前記所定の時間に基づく遅延時間情報を前記番組信号内に付加することを特徴とする。
【００２５】
請求項７記載の発明によれば、遅延時間情報を付加することで、受信側で遅延されたコンテンツを容易に取得することができる。また、伝送路状態が変動する場合においても、連続的に放送サービスを提供することが可能となり、視聴者に対する放送サービスを向上させる効果を得ることができる。
【００２６】
請求項８に記載された発明は、前記伝送処理部は、前記遅延時間情報を、データカルーセル伝送方式におけるコンテンツを構成するファイルに付加することを特徴とする。
【００２７】
請求項８記載の発明によれば、遅延時間情報を従来の伝送方法を用いて容易に付与することができる。
【００２８】
請求項９に記載された発明は、前記伝送処理部は、前記遅延時間情報を、イベントメッセージに記述することを特徴とする。
【００２９】
請求項９記載の発明によれば、遅延時間情報を従来の伝送方法を用いて容易に付与することができる。
【００３０】
請求項１０に記載された発明は、前記番組情報生成部は、前記遅延時間情報を、番組情報データ内に記述することを特徴とする。
【００３１】
請求項１０記載の発明によれば、遅延時間情報を従来の伝送方法を用いて容易に付与することができる。
【００３２】
請求項１１に記載された発明は、前記符号化部は、前記遅延されないコンテンツを、前記遅延されるコンテンツよりも情報量を少なくして符号化を行うことを特徴とする。
【００３３】
請求項１１記載の発明によれば、伝送路状態が悪化した場合に利用される遅延されないコンテンツの品質を低品質にすることで伝送量を少なくして伝送効率を向上させることができる。
【００３４】
請求項１２に記載された発明は、受信状態が変動する環境で番組信号を受信する受信装置において、受信した遅延されたコンテンツと、遅延されないコンテンツと、遅延時間情報とからなる番組信号から遅延時間情報を抽出する抽出部と、前記抽出部にて抽出された遅延時間情報に基づいて、前記番組信号の遅延を行う遅延部とを有することを特徴とする。
【００３５】
請求項１２記載の発明によれば、遅延時間情報を用いて遅延されているコンテンツを容易に取得することができる。また、遅延時間情報を取得しておくことで、番組の結合を容易にして連続したコンテンツを提供することができるため、連続的に放送サービスを提供することが可能となり、視聴者に対する放送サービスを向上させる効果を得ることができる。
【００３６】
【発明の実施の形態】
本発明は、時間差を持たせた複数のコンテンツを生成し、その遅延内容を示す遅延時間情報をコンテンツと共に多重化して伝送し、受信装置は、受信した遅延時間情報に基づいてコンテンツを取得し、番組信号を受信できない状態においても切れ目のない連続した放送サービスを視聴者に提供することを主眼とする。
【００３７】
例えば、時間差を持たせた複数のコンテンツを有する番組信号を伝送し、受信装置における受信状態が良好である場合には遅延させたコンテンツを提供し、受信状態が悪化している場合は、悪化する以前に受信しているコンテンツを出力させる。更に、受信状態が良好な状態に回復した場合は、再度遅延させたコンテンツに切替えて出力する。これにより、受信状態が変動しても番組を切れ目なく提供することができる。また、受信された信号の中には遅延時間情報が含まれているため、予め、送信装置と受信装置との間で遅延時間の設定をする必要がなく、また、遅延時間情報を予め取得しておくことでコンテンツの結合を容易にし、更に、伝送路の悪化が長時間続く場合に、他の番組や伝送路の悪化を伝える情報等を迅速に提供することができる。
【００３８】
ここで、遅延時間情報とは、同一のコンテンツを所定の時間ずらして伝送させる際にコンテンツを制御するために必要となる時差情報等が含まれており、例えば、放送局（送信）側から同一の番組（コンテンツ）を複数のストリームで送信し、受信側が好きな時間に前記コンテンツを取得することができる時差再生サービスを行う場合に、コンテンツを切れ目なく出力させるために必要な情報である。
【００３９】
また、遅延時間情報を受信装置で受信させるために新しいデータ領域を生成する場合に、それに対応した装置構成が必要となってしまう。そこで、本発明では、遅延時間情報を従来の規格化された伝送方式を利用して遅延時間情報を付加させて伝送を行う。
【００４０】
更に、本発明では、伝送状態の悪化が続く場合に予め受信装置に蓄積された移動を促すメッセージや映像等を視聴者に提供することで、伝送状態を良好なものとし切れ目のない番組の提供を行い、放送サービスを向上させる。
【００４１】
ここで、送信、受信間の伝送路状態を説明するために伝送状況の概要について図を用いて説明する。
【００４２】
図１は、デジタル放送システム伝送路状況の概要の一例を示す図である。
【００４３】
図１のデジタル放送システムは、送信装置１０と、移動可能な受信装置１１とを有するよう構成されている。
【００４４】
まず、送信装置１０から電波により送信された番組信号は、受信装置１１にて受信されコンテンツを視聴者に提供する。ここで、受信装置１１が受信装置１１−２の位置にある場合は、良好な番組信号を受信することができる。また、受信装置１１−２から受信装置１１−１の位置に移動した場合は、障害物１２−１が送信装置１０及び受信装置１１−２上で妨害しているため、送信装置１０から番組信号を受信することができないが、衛星１３における衛星通信を利用して番組信号を受信することができる。しかしながら、受信装置１１−２から受信装置１１−３に移動した場合は、衛星通信からも送信できない位置にいるため、送信装置１０からの信号を受信することができない。
【００４５】
そこで、本発明は、受信装置１１−３の位置に移動した場合でも遅延時間情報又は、予め受信装置１１に蓄積された映像信号及び音声信号を用いて映像を連続した放送サービスを視聴者に提供する。また、視聴者に受信装置１１の移動を行わせるよう指示することで、受信状態を迅速に回復させることができるため、番組の切れ目のない安定したサービスを提供することができる。
【００４６】
なお、以下に示す実施例では、送信装置及び受信装置の伝送路が無線の場合について記載するが、本発明においてはこの限りでなく、有線通信ネットワークにおける伝送も含むことができる。また、本実施例では、送信装置及び受信装置の関係は、ｍ：ｎ（ｍ，ｎ：１以上の自然数）の構成とする。
【００４７】
次に、本発明の具体的な実施の形態について図面に基づいて説明する。
【００４８】
なお、本明細書における実施形態では、ＭＰＥＧ２システムに準拠したデジタル放送用の送信装置、及び受信装置を例に説明するが、類似したその他の放送システムでも同様に適用可能である。
【００４９】
図２は、本発明における送信装置のブロック構成の一例を示す図である。
【００５０】
図２の送信装置２０は、遅延部２１と、エンコーダ２２と、伝送処理部２３と、番組情報生成部２４と、ＴＳ化部２５と、多重化部２６と、伝送路符号化部２７と、送信アンテナ２８とを有するよう構成されている。
【００５１】
まず、送信装置２０は、視聴者に提供する各種の番組データ・コンテンツ情報２９から入力したコンテンツを、遅延部２１と、エンコーダ２２−１と、番組情報生成部２４に入力する。遅延部２１では、エンコーダ２２−１に送られたコンテンツに対して伝送の時間差を持つコンテンツを生成するための遅延を行う。遅延部２１における遅延処理は、例えば、遅延させる信号が映像であればフレームメモリを用い、音声であれば音声遅延装置等を用いて遅延を行い、映像、音声共に一定時間蓄積して出力を行う。なお、遅延させる時間については、予め遅延部２１に所定の時間を設定しているものとするが、送信状況又は受信状況に応じて遅延時間を設定することができる。また、遅延部２１から出力されるコンテンツの出力回数と出力する時間間隔を設定することにより、時間差を持つ複数の同一コンテンツを出力させることができる。
【００５２】
遅延部２１にて遅延された番組信号は、エンコーダ２２−２に出力する。また、遅延されたコンテンツに関する遅延時間情報を伝送処理部２３と、番組情報生成部２４とに出力する。
【００５３】
エンコーダ２２−１及びエンコーダ２２−２は入力されたコンテンツのエンコード（符号化）を行う。例えば、音声信号の場合は、ＡＡＣエンコーダを用いてエンコードを行うことができる。なお、ＡＡＣ（Ａｄｖａｎｃｅｄ  ＡｕｄｉｏＣｏｄｉｎｇ）は、ＩＳＯ／ＩＥＣ１３８１８−７として国際標準となっているオーディオ符号化方式である。また、ＡＡＣの他にも、例えば、ＣＥＬＰ（Ｃｏｄｅ  Ｅｘｃｉｔｅｄ  Ｌｉｎｅａｒ  Ｐｒｅｄｉｃｔｉｏｎ）、又は、ＭＩＤＩ（Ｍｕｓｉｃａｌ  Ｉｎｓｔｒｕｍｅｎｔ  Ｄｉｇｉｔａｌ  Ｉｎｔｅｒｆａｃｅ）等を使用することで品質は劣化することになる代わりに非常に低いビットレートでのサービスを提供することができる。エンコーダ２２−１及びエンコーダ２２−２にて符号化されたコンテンツは伝送処理部２３に出力される。
【００５４】
伝送処理部２３は、エンコーダ２２からのコンテンツと遅延部２１からの遅延時間情報を入力して番組信号を生成する。ここでは、伝送方式としてカルーセル形式化を行い、イベントメッセージ等を生成し、更に、ＭＰＥＧ２−ＴＳ（Ｔｒａｎｓｐｏｒｔ  Ｓｔｒｅａｍ）パケット形式に変換して多重化部２４に出力する。ここで、ＭＰＥＧ２―ＴＳパケットには遅延時間情報も付与されている。なお、遅延時間情報の付与方法については後述する。また、番組情報生成部２４は、入力されたコンテンツからＭＰＥＧ２−ＴＳパケットデータに含まれる番組を示す対応表（ＰＡＴ：Ｐｒｏｇｒａｍ  Ａｓｓｏｃｉａｔｉｏｎ  Ｔａｂｌｅ）、及び各番組がどのような要素信号で構成され、夫々がどのようなアドレス情報（ＰＩＤ：Ｐａｃｋｅｔ  Ｉｄｅｎｔｉｆｉｅｒ）を付与されているかを示す対応表（ＰＭＴ：Ｐｒｏｇｒａｍ  Ｍａｐ  Ｔａｂｌｅ）等を生成し、更に、遅延時間情報を付与させてＴＳ化部２５に出力し、ＴＳ化部２５ではＭＰＥＧ２―ＴＳパケットに変換して多重化部２６に出力する。なお、番組情報生成部２４における遅延時間情報の付与方法については後述する。
【００５５】
多重化部２６では、入力されたＴＳパケットを多重化して、伝送路符号化部２７で誤り訂正や変調等の伝送路符号化を行った後、送信アンテナ２８を介して放送波として送信される。
【００５６】
これにより、遅延時間情報を有する番組信号を生成し、伝送することができる。
【００５７】
ここで、上述した遅延時間情報の付与方法について説明する。
【００５８】
図３は、伝送処理部のブロック構成の一例を示す図である。
【００５９】
伝送処理部２３は、データカルーセル形式生成部３１と、イベントメッセージ生成部３２と、ＴＳ化部３３とを有するよう構成されている。遅延時間情報は、データカルーセル形式生成部３１と、イベントメッセージ生成部３２とに入力して付加処理を行う。ここで、データカルーセル形式生成部３１と、イベントメッセージ生成部３２とにおける夫々の遅延時間情報の付加方法について説明する。
【００６０】
まず、データカルーセル生成部３１では、遅延時間情報をテキスト又はバイナリ等によって符号化された情報ファイルとして、カルーセル伝送方式のデータ構造に番組情報と共に付加する。
【００６１】
つまり、コンテンツを遅延させることで得られる時差情報（遅延時間情報）の取得のために必要な情報を、テキストデータ又はバイナリデータとして符号化し、データコンテンツの一部として伝送する際に、予め取り決められた位置（例えば、ＰＣでいうファイルの場所に相当）に付加して伝送するというものである。データ放送コンテンツでは、複数のファイルから１つのコンテンツが構成されるため、ＰＣにおけるファイルの扱いと同様に、名前空間という空間を定義し、伝送するファイル毎にその空間上の位置を指定したデータ構造を生成し、ＴＳ化部３３でＭＰＥＧ２−ＴＳパケットデータ形式に変換する。
【００６２】
例えば、ファイルの名前空間上の位置が、予め取り決められた固定位置（例えば、ａｒｉｂ−ｄｃ：／／ｘｘｘ．ｘｘｘ．ｘｘｘ．ｘｘｘ／４０／００００／ｄｉｆｆ．ｉｎｆｏ）のファイルであるとすると、受信装置側は、そのファイルの検索を行い、ファイルが存在する場合は、時差再生サービスが行われていると判断して、検索されたファイルに記述された情報に基づいて遅延時間情報の取得を行う。
【００６３】
また、ファイルの名前空間上の位置を取得するために新たに定義した記述子を利用して、記述子により示されるデータファイルの位置を取得し、該データファイルを取得する方法も用いることができる。
【００６４】
この場合、受信装置は、番組情報生成部２４にて生成されるＰＭＴ等に付加され適時繰り返し伝送されている記述子を検索し、記述子が存在する場合は、時差再生サービスが行われていると判断し、記述子に記述された名前空間で伝送される情報ファイルから遅延時間情報を取得することができる。
【００６５】
次に、イベントメッセージ生成部３２における遅延時間情報の付加方法について説明する。イベントメッセージ伝送とは、送信側（放送局）から受信装置で動作しているアプリケーションに対して、即座に、あるいは指定した時刻に、メッセージ情報を送る手段を提供するものであり、「ＡＲＩＢ  ＳＴＤ−Ｂ２４  第３編」で規定されている。
【００６６】
例えば、イベントメッセージ生成部３２にて生成されるイベントメッセージの「ｐｒｉｖａｔｅ＿ｄａｔａ＿ｂｙｔｅ」内に遅延時間情報を付加してＴＳ化部３３でＴＳパケットデータに変換して伝送する。
【００６７】
受信装置は、予め取り決められたＥＳＩＤとメッセージＩＤのイベントメッセージを取得し、そのイベントメッセージを受信した場合に、「ｐｒｉｖａｔｅ＿ｄａｔａ＿ｂｙｔｅ」内に記述される情報に基づいて動作を行う。ここで、ＥＳＩＤとは、「ｃｏｍｐｏｎｅｎｔ＿ｔａｇ」のことであり、番組情報生成部２４で生成されるＰＭＴに付加されている。受信装置は、当該番組のＰＭＴを読むことにより、予め取り決められた「ｃｏｍｐｏｎｅｎｔ＿ｔａｇ」のイベントメッセージが送信されているか否かを知ることができ、送信されている場合には、そのイベントメッセージを受信待ちにすることができる。
【００６８】
また、メッセージＩＤとは、イベントメッセージに付加されて伝送されるＩＤのことであり、同一の「ｃｏｍｐｏｎｅｎｔ＿ｔａｇ」で伝送されるイベントメッセージを区別するものである（上位バイト：「ｅｖｅｎｔ＿ｍｓｇ＿ｇｒｏｕｐ＿ｉｄ」、下位バイト：「ｅｖｅｎｔ＿ｍｓｇ＿ｉｄ」）。
【００６９】
受信装置は、予め取り決められたメッセージＩＤを持つイベントメッセージを受信すると、そのイベントメッセージに含まれる「ｐｒｉｖａｔｅ＿ｄａｔａ＿ｂｙｔｅ」を取得する。その取得された「ｐｒｉｖａｔｅ＿ｄａｔａ＿ｂｙｔｅ」の中に記述される情報により、遅延時間設定情報を取得することができる。
【００７０】
次に、番組情報生成部２４における遅延時間情報の付加方法について説明する。ここでの付加方法は、ＰＭＴ内に遅延時間情報を示す新たに定義された記述子を生成してその記述子を付加し、ＴＳ化部２５でＴＳパケットデータに変換する。受信装置は、その新しく定義された記述子を検出した場合に、その記述子に記述された遅延時間情報を取得することができる。
【００７１】
上述した付加方法の何れかを用いることにより遅延時間情報を従来の伝送方法を用いて受信装置に送信することができ、受信装置側では、特別な装置構成を有することなく、遅延時間情報を取得することができる。また、付加方法は、予め設定していても良く、また、送信装置及び受信装置の位置、伝送路間の環境に応じて変更させて付加してもよい。
【００７２】
次に、本発明における送信装置について説明する。
【００７３】
図４は、受信装置の第１の実施形態におけるブロック構成の一例を示す図である。
【００７４】
図４に示す受信装置４０は、受信アンテナ４１と、伝送路復号部４２と、分離部４３と、伝送路状態検出部４４と、抽出部４５と、遅延部４６と、デコーダ４７と、切替部４８とを有するよう構成されている。
【００７５】
受信装置４０では、送信装置２０より伝送された放送波を受信アンテナ４１で受信し、伝送路復号部４２で伝送路符号化データを復号してＭＰＥＧ２−ＴＳパケットデータにして分離部４３に出力する。分離部４３は、入力したＭＰＥＧ２−ＴＳパケットデータを伝送路状態検出部４４及び抽出部４５に出力する。更に、ＴＳパケットに含まれるＰＡＴ、ＰＭＴ等の番組情報に基づいて、映像ＥＳ（Ｅｌｅｍｅｎｔａｌｙ  Ｓｔｒｅａｍ）、及び音声ＥＳを取得して遅延部４６、及びデコーダ４７−１に出力する。抽出部４５は、上述した遅延時間情報の付加方法に対応した抽出方法により遅延時間情報を取得して遅延部４６へ出力する。
【００７６】
データカルーセル伝送方式を用いて遅延時間情報が付与されている場合は、抽出部４６において、名前空間の空間上の位置を得ることにより要求する遅延時間情報のファイルの検索を行い、ファイルが存在する場合は、時差再生サービスが行われていると判断して、検索されたファイルに記述された情報に基づいて遅延時間情報を遅延部４６に出力する。
【００７７】
また、イベントメッセージを利用して遅延時間情報が付与されている場合は、抽出部４５は、予め取り決められたＥＳＩＤとメッセージＩＤのイベントメッセージを取得し、そのイベントメッセージを受信した場合に、「ｐｒｉｖａｔｅ＿ｄａｔａ＿ｂｙｔｅ」内に記述される情報に基づいて動作を行う。詳細については上述しているため、ここでの説明は省略する。
【００７８】
更に、番組情報のみを用いて遅延時間情報が付与されている場合は、その新しく定義された記述子を検出した場合に、その記述子に記述された遅延時間情報を取得することができる。抽出部４５にて取得した遅延時間情報は遅延部４６へ出力する。
【００７９】
次に、遅延部４６は、抽出部４５から入力した遅延時間情報から適切な遅延時間を取得する。遅延部４６は、遅延時間情報等から得られる時差情報（時間）に基づいて、分離部４３より入力される映像ＥＳ及び音声ＥＳをビットレートに応じて遅延を行った後、デコーダ４７−２に出力する。デコーダ４７−１及びデコーダ４７−２は、映像ＥＳ及び音声ＥＳを復号して切替部４８に出力する。なお、デコーダ４７−１及びデコーダ４７−２は同種のデコーダでもよく、また、異なった種類のデコーダでもよい。例えば、音声ＥＳを復号する場合、ＡＡＣデコーダであればＡＡＣで生成された音声圧縮信号の復号を行い音声データに変換する。また、上述したＣＥＬＰ又はＭＩＤＩ等を使用することで品質は劣化することになる代わりに非常に低いビットレートでのサービスを提供することができる。
【００８０】
伝送路状態検出部４４は、ＭＰＥＧ２―ＴＳパケットのフィールドの状態を監視することにより伝送路状態の検出を行い検出結果を切替部４８に出力する。
【００８１】
つまり、ＴＳパケットのフィールドにおいて、「ｃｏｎｔｉｎｕｉｔｙ＿ｃｏｕｎｔｅｒ」の値が非連続である場合に、何らかの原因でＴＳパケットの抜けがあることがわかる。これにより、伝送路状態が悪化したとして伝送路状態を検出することができる。
【００８２】
次に、切替部４８は、伝送路状態検出部４４からの検出結果により、映像信号及び音声信号の出力を切替えて出力部へ出力する。切替部４８は、簡易なものではアナログ的なスイッチ、ミキサー等を使用することができる。なお、出力部は、他の地点へ送信する場合は送信部とし、表示する場合は表示部とすることができ、発明の範囲において、種々の変更が可能である。
【００８３】
上述により、送信側（放送局）で一定時間差をつけて同一コンテンツを送出するサービスを行っていた場合、受信装置が移動等の影響で放送電波の影に入った状態になった場合において、遅延時間情報を番組信号と共に多重化して送信し、その放送波を受信することにより、多重化された信号から適切な遅延時間を取得して遅延を行うことにより、切れ目のない番組を効率的に提供することができる。
【００８４】
なお、伝送路状態検出部４４における伝送路状態の検出方法においては、この限りではなく、他の検出方法を用いることができる。ここで、伝送路状態検出部４０の伝送路状態検出方法において、上述した方法以外の検出方法について説明する。
【００８５】
まず、受信装置４０にリードソロモン復号器を有し、受信した信号の誤り訂正を行った結果、ＴＳパケット内の誤りを訂正しきれない場合は、「ｔｒａｎｓｐｏｒｔ＿ｅｒｒｏｒ＿ｉｎｄｉｃａｔｏｒ」に１がセットされる。そこで、伝送路状態検出部４４は「ｔｒａｎｓｐｏｒｔ＿ｅｒｒｏｒ＿ｉｎｄｉｃａｔｏｒ」を参照して１がセットされている場合に、伝送路状態が悪化したとして伝送路状態を検出することができる。
【００８６】
また、別な検出方法として、地上デジタル放送の場合は、ＯＦＤＭ（Ｏｒｔｈｏｇｏｎａｌ  Ｆｒｅｑｕｅｎｃｙ  Ｄｅｖｉｓｉｏｎ  Ｍｕｌｔｉｐｌｅｘｉｎｇ）信号のフレーム同期を監視し、同期がとれない場合に伝送路状態が悪く復調不可能であると判断することができる。なお、ＯＦＤＭ信号のフレーム同期をとる手法としては、例えば、ガードインターバル相関をとる方法がある。この相関がとれない場合に、同期がとれずに信号を復調することができなくなる。これにより、伝送路状態が悪化したとして伝送路状態を検出することができる。
【００８７】
更に、別な検出方法として、ＭＰＥＧ２−ＴＳの受信バッファを監視するといった方法がある。これは、ＴＳパケットに復号できない場合にＭＰＥＧ２−ＴＳデコーダの受信バッファにアンダーフローが発生するため、逆にアンダーフローが発生した場合に、伝送路状態検出部４４は、伝送路状態が悪化している判断することができる。
【００８８】
また、伝送状態検出部４４は、この他にも電界強度を測定する機器やＩＣ（集積回路）等を利用し電界強度に応じて出力信号を出力する機器を具備することにより伝送路状態を検出することができる。
【００８９】
上述の何れかの検出方法を用いることにより、伝送路状態検出部４４は伝送路状態を取得することができる。
【００９０】
上述した受信装置の構成を備えることにより、送信側（放送局）で一定時間差をつけて同一コンテンツを送出するサービスを行っていた場合、受信装置が移動等の影響で放送電波の影に入った状態になった場合においても切れ目なく連続して番組を出力することができる。
【００９１】
また、例えば、伝送路状態が変動する環境で、受信アンテナ４１が複数のストリームを同時に受信した場合に、遅延部４６又はデコーダ４７−１が複数のストリームのうち１組以上のストリームに対して蓄積機能を有することにより、変動する伝送路状態下で複数のストリームから出力するストリームを任意に切替えて出力（再生）することができる。
【００９２】
また、視聴者の所望する番組以外の番組を蓄積しておき、所望する番組に関する番組信号の受信状態が悪化した場合に替わりのコンテンツ（映像）を出力することもできる。これにより、伝送路状態が変動する場合においても、連続的に放送サービスを提供することが可能となり、視聴者に対する放送サービスを向上させる効果を得ることができる。
【００９３】
なお、上述の送信装置２０及び受信装置４０においては、遅延させるための遅延部を１個有する構成としたが、本発明においてはこの限りではなく、例えば、遅延させる信号の繰り返し伝送数に応じた信号毎に遅延部を有する構成にしてもよい。
【００９４】
また、受信装置４０におけるデコーダ４７を切替えの対象となる番組信号毎に有する構成にしたが、切替部４８にて切替を行った後にデコーダ４７によるデコードを行ってもよい。
【００９５】
ここで、上述した受信装置における構成を第２の実施形態として図を用いて説明する。図５は、受信装置の第２の実施形態におけるブロック構成の一例を示す図である。
【００９６】
図５の受信装置５０は、受信アンテナ４１と、伝送路復号部４２と、分離部４３と、伝送路状態検出部４４と、抽出部４５と、遅延部４６と、切替部４８と、デコーダ４７−３とを有するよう構成されている。
【００９７】
まず、放送波を受信アンテナ４１で受信し、伝送路復号部４２で伝送路符号化データを復号してＭＰＥＧ２−ＴＳパケットにして分離部４３に出力する。分離部４３は、入力したＭＰＥＧ２−ＴＳパケットを伝送路状態検出部４４及び抽出部４５に出力する。更に、ＭＰＥＧ２−ＴＳパケットに含まれているＰＡＴ、ＰＭＴ等の番組情報を取得する。その後、これらの情報に基づいて、映像ＥＳ、及び音声ＥＳを取得して遅延部４６、及び切替器４８に出力する。
【００９８】
抽出部４５は、上述した実施例に示すように遅延時間情報を取得して遅延部４６へ出力する。遅延部４６は、抽出部４５から入力した遅延時間情報から得られる時差情報（時間）に基づき分離部４３より入力される映像ＥＳ及び音声ＥＳを遅延させて切替部４８に出力する。
【００９９】
また、伝送路状態検出部４４は、上述したように、入力されたＭＰＥＧ２−ＴＳから伝送路状態を検出し、検出した結果を切替部４８に出力する。
【０１００】
切替部４８は、伝送路状態検出部４４からの出力信号に基づいて映像ＥＳ及び音声ＥＳを切替えてデコーダ４７−３に出力する。デコーダ４７−３は、切替部４８からの映像ＥＳ及び音声ＥＳを復号して映像信号及び音声信号を生成し、ディスプレイ及びスピーカ等の各出力部へ出力する。これにより、デコーダの装置構成を少なくして図４に示す実施形態と同様の効果を得ることができる。
【０１０１】
また、伝送路状態が悪化した場合は、映像を停止させておき、予め設定された音声（音楽）を出力することにより、視聴者の伝送路状態の悪化による違和感や不快感を軽減することができる。
【０１０２】
ここで、上述した受信装置の内容を本発明における受信装置の第３の実施形態として図を用いて説明する。
【０１０３】
図６は、受信装置の第３の実施形態におけるブロック構成の一例を示す図である。
【０１０４】
図６の受信装置６０は、受信アンテナ４１と、伝送路復号部４２と、分離部４３と、伝送路状態検出部４４と、デコーダ４７−４と、映像・音声挿入部６１とを有するよう構成されている。
【０１０５】
まず、放送波を受信アンテナ４１で受信し、伝送路復号部４２で伝送路符号化データを復号してＭＰＥＧ２−ＴＳパケットにして分離部４３に出力する。分離部４３は、入力したＭＰＥＧ２−ＴＳパケットを伝送路状態検出部４４に出力する。また、受信した信号を多重化分離して、映像ＥＳ及び／又は音声ＥＳをデコーダ４７−４に出力する。
【０１０６】
伝送路状態検出部４４は、上述した実施例と同様にＭＰＥＧ２―ＴＳにより内容の伝送路状態を検出することができ、検出結果の出力信号を映像・音声挿入部６１へ出力する。デコーダ４７−４は、映像ＥＳ及び音声ＥＳを復号して映像信号及び音声信号を生成する。生成した映像信号及び音声信号は、映像・音声挿入部６１へ出力する。
【０１０７】
映像・音声挿入部６１は、画像、各種映像、音楽、又は各種音源が蓄積されており、伝送路状態検出部４４からの出力信号により、画像、映像やノイズ、音声メッセージ、楽曲、無音等を、機器の設定、又は視聴者が予め受信装置に設定した出力方法に応じて映像信号又は音声信号に挿入して出力する。映像・音声挿入部６１を用いることにより、視聴者の伝送路状態の悪化による違和感や不快感を軽減することができる。
【０１０８】
例えば、伝送路状態が悪化した場合は、映像を停止させておき、予め設定された音声（音楽）を出力することができる。また、受信装置の伝送路受信状態を音声により視聴者に通知することができ、視聴者は、容易に受信状態を把握することもできる。
【０１０９】
上述した本発明における第３の実施形態によれば、伝送路状態が長時間悪化している場合に、視聴者（受信者）に対して伝送路状態が良好となる場所に受信装置を移動させるよう促すこともできる。例えば、番組の映像が出力できない場合は、文字列や図等のメッセージを表示し移動を促し、番組の映像が出力できる場合、文字列や図等のメッセージを映像に合成表示させて移動を促す。
【０１１０】
また、視聴者への通知方法は上述の限りではなく、例えば、表示装置を用いて通知や振動等により通知することもできる。
【０１１１】
次に、本発明における受信装置の第４の実施形態について図を用いて説明する。図７は、受信装置の第４の実施形態におけるブロック構成の一例を示す図である。
【０１１２】
図７の受信装置７０は、受信アンテナ４１と、伝送路復号部４２と、分離部４３と、デコーダ４７−５と、伝送路状態検出部４４と、表示装置７１とを有するよう構成されている。
【０１１３】
まず、放送波を受信アンテナ４１で受信し、伝送路復号部４２で伝送路符号化データを復号してＭＰＥＧ２−ＴＳパケットにして分離部４３に出力する。分離部４３は、入力したＭＰＥＧ２−ＴＳパケットを伝送路状態検出部４４に出力する。また、受信した信号を多重化分離して、映像ＥＳ及び／又は音声ＥＳをデコーダ４７−５に出力する。デコーダ４７―５は、入力された映像ＥＳ及び音声ＥＳを映像信号及び音声信号に復号し、そのまま出力部へ出力する。
【０１１４】
伝送路状態検出部４４は、上述した実施例と同様にＭＰＥＧ２―ＴＳにより内容の伝送路状態を検出することができ、検出した伝送路状態を表示装置７１に出力する。表示装置７１は、入力した伝送路の状態を表示して視聴者に通知させることができる。
【０１１５】
なお、表示装置７１の表示方法としては、例えば、電界強度不足等の警告を、ＬＥＤ、液晶ディスプレイ等を使用して表示することにより、視聴者（受信者）に位置の移動を促したりすることができる。また、視聴者に対する通知手段は上述の限りではなく、例えば、振動モータ等を具備させることにより、視聴者に受信状態を通知させてもよい。
【０１１６】
上述したように、本発明における第４の実施形態によれば、変動する受信状況下で受信者に適切な方法で受信状況を通知することができる。
【０１１７】
上述したように本発明によれば、伝送路状態が変動する場所でも連続的に放送サービスを提供することが可能となる。例えば、放送局側が一定時間差をつけて同一コンテンツを送出するサービスを行っている場合、放送電波が建物等の影に入り、伝送路状態が悪化した状態でも連続してコンテンツを出力することができる。また、伝送路状態が悪化した状態の時は、裏番組等を出力する等により対応することで、番組を連続して提供することができ、視聴者へのサービス向上の効果を得ることができる。
【０１１８】
また、電界強度が不足した場合などでも代わりの音を出力させることで、安心感を与え、視聴者の違和感や不快感を軽減させる受信装置を提供することができる。更に、受信者に伝送路状態を知らせることで、より電波状況の良い状態に受信器を移動させることで受信者への受信サービス時間率を向上させることができる。
【０１１９】
なお、本発明は、具体的に開示された実施例に限定されるものではなく、特許請求した本発明の範囲から逸脱することなく、種々の変形例や実施例が考えられる。
【０１２０】
【発明の効果】
上述の如く本発明によれば、伝送路状態が変動する場合においても、放送の切れ目をなくし安定した放送サービスを提供することができる。これにより、視聴者へのサービス向上の効果を得ることができる。
【図面の簡単な説明】
【図１】デジタル放送システム伝送路状況の概要の一例を示す図である。
【図２】本発明における送信装置のブロック構成の一例を示す図である。
【図３】伝送処理部のブロック構成の一例を示す図である。
【図４】受信装置の第１の実施形態におけるブロック構成の一例を示す図である。
【図５】受信装置の第２の実施形態におけるブロック構成の一例を示す図である。
【図６】受信装置の第３の実施形態におけるブロック構成の一例を示す図である。
【図７】受信装置の第４の実施形態におけるブロック構成の一例を示す図である。
【符号の説明】
１０，２０  送信装置
１１，４０，５０，６０，７０  受信装置
１２  障害物
１３  衛星
２１，４６  遅延部
２２  エンコーダ
２３  伝送処理部
２４  番組情報生成部
２５，３３  ＴＳ化部
２６  多重化部
２７  伝送路符号化部
２８  送信アンテナ
２９  番組データ・コンテンツ情報
３１  データカルーセル形式生成部
３２  イベントメッセージ生成部
４１  受信アンテナ
４２  伝送路復号部
４３  分離部
４４  伝送路状態検出部
４５  抽出部
４６  遅延部
４７  デコーダ
４８  切替部
６１  映像・音声挿入部
７１  表示装置
【図１】
2004187098.tif 000003
【図２】
2004187098.tif 000004
【図３】
2004187098.tif 000005
【図４】
2004187098.tif 000006
【図５】
2004187098.tif 000007
【図６】
2004187098.tif 000008
【図７】
2004187098.tif 000009